(57)【要約】【課題】開錠予定者が近傍にいなくとも開錠予定者の生体認証情報にて施錠が可能なセキュリティバッグシステムを提供する。【解決手段】開錠予定者は生体認証情報登録装置３０１を用いて、自身を特定するＩＤと共に生体認証情報をセンタシステム２０に登録する。輸送元は、前記ＩＤに基づき生体認証情報をセンタシステムから取得し、これを施錠データとしてセキュリティバッグ１０１に記憶させ、輸送を行う。セキュリティバッグ１０１が輸送元に到着し、開錠者はセキュリティバッグ１０１が有する生体認証情報読取部１０１６にて自身の生体認証情報を読み取らせ、照合した結果一致したと判別されると、セキュリティバッグ１０１が開錠する。【選択図】図１
2008240441.tif 000002
【特許請求の範囲】
【請求項１】
鍵駆動部と、記憶手段と、制御部と、外部装置との接続インタフェースを有し、前記記憶手段に生体認証情報（以下、施錠データと称呼する）を記憶することで施錠を行うセキュリティバッグと、
開錠者のＩＤと共に施錠データを登録するデータベースを有するセンタシステムと、
ネットワークを介して前記センタシステムと通信するＰＣ等のＩＴ端末と接続し、前記データベースに開錠者のＩＤと施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから前記施錠データを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤに紐付く施錠データを前記施錠データ取得手段により前記センタシステムから取得し、前記記憶手段に記憶して施錠を行い、開錠の際は、前記開錠データ取得手段によって開錠データを取得し、前記施錠データと前記開錠データを前記照合手段により照合し、合致した場合に前記制御部に対して開錠指示を行い、前記鍵駆動部を動作させ前記セキュリティバッグを開錠することを特徴とするセキュリティバッグシステム。
【請求項２】
鍵駆動部と、記憶手段と、制御部を有し、前記記憶手段に開錠者であるユーザを一意に特定するＩＤを記憶することで施錠を行うセキュリティバッグと、
開錠者のＩＤと共に生体認証情報（以下、施錠データと称呼する）を登録するデータベースを有するセンタシステムと、
ネットワークを介して前記センタシステムと通信するＰＣ等のＩＴ端末と接続し、前記データベースに前記ＩＤと前記施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから開錠者のＩＤを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤを前記施錠データ取得手段により前記センタシステムから取得し、前記記憶手段に記憶して施錠を行い、開錠の際は、前記開錠データ取得手段によって開錠データを取得し、開錠予定者のＩＤに基づき前記センタシステムから施錠データを取得し、前記施錠データと前記開錠データを前記照合手段により照合し、合致した場合に前記制御部に対して開錠指示を行い、前記鍵駆動部を動作させ前記セキュリティバッグを開錠することを特徴とするセキュリティバッグシステム。
【請求項３】
前記開錠データには、セキュリティランクを設定することができ、設定したセキュリティランクを含めその上位のセキュリティランクを有する開錠者の開錠データであれば、前記セキュリティバッグを開錠することが可能であることを特徴とする請求項２記載のセキュリティバッグシステム。
【請求項４】
前記施錠データ取得手段は、生体認証情報の読取り部位別に構成され、施錠の際、所望の読取り部位に用いる前記施錠データ取得手段を選択して前記接続インタフェースに接続し、所望の読取り部位における生体認証情報を取得し、前記開錠データ取得手段は、読取り部位別の前記施錠データ取得手段に対応して複数種類によって構成され、施錠時に用いられた読取り部位に対応する前記開錠データ取得手段を使用して開錠を行うことができることを特徴とする請求項１から３の何れか１項記載のセキュリティバッグシステム。
【発明の詳細な説明】
【技術分野】
【０００１】
本発明は、施錠及び開錠に生体認証情報を必要とするセキュリティバッグを用いたシステムであって、特に生体認証情報をネットワーク上に保存しこれをダウンロードして施錠及び開錠に使用する、生体認証による施錠及び開錠可能なバッグを用いたセキュリティバッグシステムに関する。
【背景技術】
【０００２】
従来、機密性の高い情報や物品の運搬には、施錠可能なバッグやケースが用いられている。この施錠可能なバッグの施錠方法は、複数桁の数字を選択し正しい数字の配列となった場合のみ開錠とするものが一般に用いられている。また、より強固な施錠方法として、ＩＣカードを用いて開錠するものが知られている。
【０００３】
また、個人を識別する手段として、指紋や静脈パターン等の生体認証情報を用いて行う方法があり、これは既に金融機関のＡＴＭ等でも利用されているが、この生体認証情報を用いて施錠を行い、セキュリティの向上を図ったケース等が特許文献１によって開示されている。
【０００４】
これは、ケースに生体認証用装置を一体的に組み付け、この生体認証装置によって生体認証情報が検知されている間のみ蓋部を開放可能とし、生体認証装置が生体認証情報を検知できない場合は蓋部をロックし、内容物の取り出しが行えないようにするものである。
【０００５】
【特許文献１】特開２００６−２０９７２４号公報
【発明の開示】
【発明が解決しようとする課題】
【０００６】
しかしながら、暗証番号やＩＣカード等によってバッグ等を施錠した場合、暗証番号を忘却や暗証番号を輸送先に連絡する際の漏洩、また、ＩＣカード紛失・盗難等によりセキュリティバッグが開錠できなくなる又は他者に開錠されてしまう危険性がある。
【０００７】
また、特許文献１の方法では、例えばケースに生体認証情報を用いて施錠をした場合、これを開錠するためには施錠した本人でなくてはならない。このバッグを、セキュリティを維持して遠隔地へ輸送するためには、該当する生体認証情報を有する人物もバッグと共に遠隔地へ赴く必要があり、輸送コスト及び人件費の増加を招いてしまう。更にはケース自体の紛失した、若しくは盗難にあった場合、ケースを破壊され、記憶した生体認証情報が漏洩してしまうという危険性もある。個人情報保護の観点からも、これは看過できない問題である。
【０００８】
本発明は上記課題を鑑みてなされたものであり、施錠する際に、生体認証情報の取得を開錠する者から直接取得せずに済むセキュリティバッグを用いたセキュリティバッグシステムを提供することを目的とする。
【課題を解決するための手段】
【０００９】
請求項１に係るセキュリティバッグシステムは、鍵駆動部と、記憶手段と、制御部を有し、前記記憶手段に生体認証情報（以下、施錠データと称呼する）を記憶することで施錠を行うセキュリティバッグと、
開錠者のＩＤと共に施錠データを登録するデータベースを有するセンタシステムと、
ネットワークを介して前記センタシステムと通信するＰＣ等のＩＴ端末と接続し、前記データベースに開錠者のＩＤと施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから前記施錠データを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤに紐付く施錠データを前記施錠データ取得手段により前記センタシステムから取得し、前記記憶手段に記憶して施錠を行い、開錠の際は、前記開錠データ取得手段によって開錠データを取得し、前記施錠データと前記開錠データを前記照合手段により照合し、合致した場合に前記制御部に対して開錠指示を行い、前記鍵駆動部を動作させ前記セキュリティバッグを開錠することを特徴とする。
【００１０】
請求項１の構成によれば、開錠を予定するユーザのみセキュリティバッグの開錠を可能とするための生体認証情報である施錠データをネットワーク上のセンタシステムに登録しており、施錠の際は直接開錠を予定するユーザが生体認証情報を設定する必要が無く、センタシステムから取得して設定することができる。開錠の際は、生体認証情報である開錠データを開錠データ取得手段により開錠者から直接取得し、これと記憶手段に記憶された施錠データとを照合手段で照合し、合致した場合のみセキュリティバッグの開錠を行うことができる。
【００１１】
請求項２に係るセキュリティバッグシステムは、鍵駆動部と、記憶手段と、制御部を有し、前記記憶手段に開錠者であるユーザを一意に特定するＩＤを記憶することで施錠を行うセキュリティバッグと、
開錠者のＩＤと共に生体認証情報（以下、施錠データと称呼する）を登録するデータベースを有するセンタシステムと、
ネットワークを介して前記センタシステムと通信するＰＣ等のＩＴ端末と接続し、前記データベースに前記ＩＤと前記施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから開錠者のＩＤを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤを前記施錠データ取得手段により前記センタシステムから取得し、前記記憶手段に記憶して施錠を行い、開錠の際は、前記開錠データ取得手段によって開錠データを取得し、開錠予定者のＩＤに基づき前記センタシステムから施錠データを取得し、前記施錠データと前記開錠データを前記照合手段により照合し、合致した場合に前記制御部に対して開錠指示を行い、前記鍵駆動部を動作させ前記セキュリティバッグを開錠することを特徴とする。
【００１２】
請求項２の構成によれば、開錠を予定するユーザを特定するＩＤと当該ユーザの生体認証情報をセンタシステムのデータベースに登録し、施錠の際にＩＤをセキュリティバッグの記憶手段に記憶させる。開錠の際は、生体認証情報である開錠データを開錠データ取得手段により開錠者から直接取得し、記憶手段に記憶されたＩＤに該当する施錠データをセンタシステムのデータベースから取得し、開錠データと施錠データを照合手段で照合し、合致した場合のみセキュリティバッグの開錠を行うことができる。
【００１３】
請求項３に係るセキュリティバッグシステムは、請求項２記載のセキュリティバッグシステムにおいて、前記開錠データには、セキュリティランクを設定することができ、設定したセキュリティランクを含めその上位のセキュリティランクを有する開錠者の開錠データであれば、前記セキュリティバッグを開錠することが可能であることを特徴とする。
【００１４】
請求項３の構成によれば、例えば施錠の際に登録されたＩＤに該当するユーザ若しくはその上長に開錠を許可したい場合において、上長のセキュリティランクを施錠の際に登録するＩＤに該当するユーザの上位とすることで開錠することができる。
【００１５】
請求項４に係るセキュリティバッグシステムは、請求項１から３の何れか１項記載のセキュリティバッグシステムにおいて、前記施錠データ取得手段は、生体認証情報の読取り部位別に構成され、施錠の際、所望の読取り部位に用いる前記施錠データ取得手段を選択して前記接続インタフェースに接続し、所望の読取り部位における生体認証情報を取得し、前記開錠データ取得手段は、読取り部位別の前記施錠データ取得手段に対応して複数種類によって構成され、施錠時に用いられた読取り部位に対応する前記開錠データ取得手段を使用して開錠を行うことができることを特徴とする。
【００１６】
請求項４の構成によれば、例えば指紋・静脈・顔・虹彩・網膜等に代表される様々な体の部位による生体認証情報を取得するために、個別の施錠データ取得手段によって取得することができ、これを接続インタフェースに接続することで、種々の生体認証情報を施錠及び開錠のためのキーとして用いることができる。また、開錠の際も、施錠データ取得手段の種類と同じ複数の開錠データ取得手段から適切なものを選択し、接続インタフェースに接続することでセキュリティバッグの開錠を行うことができる。
【発明の効果】
【００１７】
請求項１に係るセキュリティバッグシステムは、鍵駆動部と、記憶手段と、制御部を有し、前記記憶手段に生体認証情報（以下、施錠データと称呼する）を記憶することで施錠を行うセキュリティバッグと、
開錠者のＩＤと共に施錠データを登録するデータベースを有するセンタシステムと、
ネットワークを介して前記センタシステムと通信するＰＣ等のＩＴ端末と接続し、前記データベースに開錠者のＩＤと施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから前記施錠データを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤに紐付く施錠データを前記施錠データ取得手段により前記センタシステムから取得し、前記記憶手段に記憶して施錠を行い、開錠の際は、前記開錠データ取得手段によって開錠データを取得し、前記施錠データと前記開錠データを前記照合手段により照合し、合致した場合に前記制御部に対して開錠指示を行い、前記鍵駆動部を動作させ前記セキュリティバッグを開錠するので、セキュリティバッグに施錠をする際にセンタシステムから開錠者の生体認証情報を取得できるため、開錠者がセキュリティバッグの施錠の際、セキュリティバッグ近傍にいる必要が無く、セキュリティバッグを遠隔地へ輸送する際の輸送コストを低減させることができる。また、開錠の際は、生体認証情報である施錠データ及び開錠データが、照合により合致しなければセキュリティバッグの開錠ができないため、強固なセキュリティを実現することができる。
【００１８】
請求項２に係るセキュリティバッグシステムは、鍵駆動部と、記憶手段と、制御部を有し、前記記憶手段に開錠者であるユーザを一意に特定するＩＤを記憶することで施錠を行うセキュリティバッグと、
開錠者のＩＤと共に生体認証情報（以下、施錠データと称呼する）を登録するデータベースを有するセンタシステムと、
ネットワークを介して前記センタシステムと通信するＰＣ等のＩＴ端末と接続し、前記データベースに前記ＩＤと前記施錠データを登録するための施錠データ登録手段と、
同様に前記ネットワークを介して前記センタシステムと通信するＰＣ等のＩＴ端末と接続すると共に前記接続インタフェースによって前記セキュリティバッグと接続し、前記ネットワーク及び前記ＩＴ端末を介して前記データベースから開錠者のＩＤを取得しこれを前記記憶手段に転送する施錠データ取得手段と、
前記セキュリティバッグを開錠する際に、前記接続インタフェースによって前記セキュリティバッグと接続し、開錠者の生体認証情報（以下、開錠データと称呼する）を取得するための開錠データ取得手段と、
前記施錠データと前記開錠データとを照合する照合手段とからなるセキュリティシステムであって、
前記セキュリティバッグの開錠を予定するユーザは、前記施錠データ登録手段により予めＩＤ及び施錠データを登録し、前記セキュリティバッグの施錠の際は、前記開錠予定のユーザのＩＤを前記施錠データ取得手段により前記センタシステムから取得し、前記記憶手段に記憶して施錠を行い、開錠の際は、前記開錠データ取得手段によって開錠データを取得し、開錠予定者のＩＤに基づき前記センタシステムから施錠データを取得し、前記施錠データと前記開錠データを前記照合手段により照合し、合致した場合に前記制御部に対して開錠指示を行い、前記鍵駆動部を動作させ前記セキュリティバッグを開錠するので、上記請求項１と異なり、セキュリティバッグには生体認証情報である施錠データを記憶させず、ＩＤのみを記憶させるため、万が一セキュリティバッグが紛失若しくは盗難にあったとしても、生体認証情報が漏洩することを防ぐことができる。
【００１９】
請求項３に係るセキュリティバッグシステムは、請求項２記載のセキュリティバッグシステムにおいて、前記開錠データには、セキュリティランクを設定することができ、設定したセキュリティランクを含めその上位のセキュリティランクを有する開錠者の開錠データであれば、前記セキュリティバッグを開錠することが可能であるので、開錠者がセキュリティバッグ到着時に不在であった場合等、予定した開錠者による開錠が行えない状況であっても、セキュリティランクが予定した開錠者の上位のユーザによって開錠を行うことができる。
【００２０】
請求項４に係るセキュリティバッグシステムは、請求項１から３の何れか１項記載のセキュリティバッグシステムにおいて、前記施錠データ取得手段は、生体認証情報の読取り部位別に構成され、施錠の際、所望の読取り部位に用いる前記施錠データ取得手段を選択して前記接続インタフェースに接続し、所望の読取り部位における生体認証情報を取得することができるので、複数部位の生体認証情報による施錠に対応できるため、他者によるセキュリティバッグの開錠をより確実に防止することができる。開錠の際は、例えば指紋認証による生体認証情報を施錠データ取得手段によってセンタシステムに登録した場合、指紋読取り用の開錠データ取得手段を用いて開錠者の指紋を読取り、これと照合し合致した場合開錠することができる。
【発明を実施するための最良の形態】
【００２１】
以下、本発明を実施するための最良の形態としての実施例を図１から図９を参照して説明する。もちろん、本発明は、その発明の趣旨に反さない範囲で、実施例において説明した以外のものに対しても容易に適用可能なことは説明を要するまでもない。
【実施例１】
【００２２】
図１〜図９は、本発明の実施例を示し、図１は、セキュリティバッグシステムの構成を示すブロック図である。図２は、セキュリティバッグの一構成例を示すブロック図である。図３は、セキュリティバッグの輸送先における輸送前の準備動作を示すフローチャート図である。図４は、図３に示す動作を受けてセンタシステムが行う準備動作を示すフローチャート図である。図５はセキュリティバッグの輸送元におけるセキュリティバッグの施錠動作を示すフローチャート図である。図６は、輸送先における開錠操作を示すフローチャート図である。図７は、輸送元でのセキュリティバッグの施錠過程を示すフローチャート図である。図８は、輸送先でのセキュリティバッグの開錠過程を示すフローチャート図である。図９はセキュリティバッグの他の構成例を示すブロック図である。
【００２３】
本実施例におけるセキュリティバッグシステムの構成について、図１に基づいて説明する。１はセキュリティバッグシステムであり、以下のように構成される。１０はバッグ輸送元である。１０１は生体認証情報である施錠データを用いて施錠可能なセキュリティバッグである。１０２は後述のセンタシステムから施錠データを取得し、セキュリティバッグに転送するための施錠データ取得手段たる取込インタフェースである。１０３ａ及び１０３ｂは後述のネットワークを介して施錠データをダウンロードするためのＩＴ端末である。２０はセンタシステムであり、施錠データの登録及び管理を行うデータベース２０１を有する。３０はセキュリティバッグの輸送先である。３０１は開錠者の生体認証情報を取得し、センタシステムに登録を行う施錠データ登録手段たる生体認証情報登録装置である。３０２は生体認証情報登録装置をネットワークに接続するためのＩＴ端末である。４０は上記センタシステム２０、ＩＴ端末１０３ａ、１０３ｂ及び３０２の通信を可能とするネットワークである。
【００２４】
続いて、セキュリティバッグ１０１の構成について、図２に基づいて説明する。１０１１はセキュリティバッグ１０１と取込インタフェース１０２を接続するための外部インタフェースである。１０１２はデータベース２０１から取得した施錠データを記憶するための記憶手段たる生体認証情報記憶部である。１０１３は後述の生体認証読取部から取得した開錠者の生体認証情報である開錠データと、生体認証情報記憶部１０１２に記憶された施錠データとを比較照合する照合手段たる比較部である。１０１４は、比較部１０１３による照合結果に基づき、開錠制御を行う制御部たる鍵開錠指示部である。１０１５は鍵開錠指示部の指示に従い鍵の開錠動作を行う鍵駆動部である。１０１６は、前述の開錠者の生体認証情報を取得するための生体認証情報読取部である。
【００２５】
続いて、セキュリティバッグを用いた輸送を行う前の、開錠予定者の生体認証情報をセンタシステム２０のデータベース２０１に登録するフローについて図３及び図４に基づいて説明する。まず、生体認証情報登録装置３０１により、開錠予定者のＩＤと、施錠データとして静脈パターンを取得する（Ｓ１０１）。取得したＩＤ及び静脈パターンは、ＩＴ端末３０２及びネットワーク４０を介してセンタシステム２０に送信する（Ｓ１０２）。センタシステム２０はこの送信を受け、ＩＤ及び静脈パターンのデータベース２０１への登録を行う（Ｓ２０１）。
【００２６】
続いて、セキュリティバッグに施錠を行う際の輸送元のフローを、図５に基づいて説明する。まずＩＴ機器１０３ａまたは１０３ｂを、取込インタフェース１０２を介してセキュリティバッグ１０１に接続する（Ｓ３０１）。センタシステム２０から輸送先の開錠予定者のＩＤを利用して静脈パターンである施錠データをダウンロードし、生体認証情報記憶部１０１２に記憶する（Ｓ３０２）。開錠予定者以外の情報が生体認証情報記憶部１０１２に記憶されているかを判別する（Ｓ３０３）。これは、例えば前回セキュリティバッグ１０１を使用した際の施錠データが残っているかどうかを判別するものである。開錠予定者以外の情報が記憶されている場合は、これを削除する（Ｓ３０４）。ＩＴ機器１０３ａまたは１０３ｂからセキュリティバッグ１０１を外す（Ｓ３０５）。セキュリティバッグ１０１を施錠し、輸送先３０へ輸送する（Ｓ３０６）。以上で輸送元における手続が完了する。
【００２７】
続いて、セキュリティバッグが輸送先３０に到着し、開錠操作をする際のフローを、図６に基づいて説明する。開錠予定者は生態認証情報読取部１０１６にてセキュリティバッグ１０１に自身の静脈パターンを開錠データとして読み込ませる（Ｓ４０１）。この開錠データと、生体認証情報記憶部１０１２に記憶される施錠データとを、比較部１０１３にて照合する（Ｓ４０２）。照合の結果を判別し（Ｓ４０３）、一致しない場合は次の開錠操作が行われるまで待機し（Ｓ４０４）、一致した場合は鍵開錠指示部１０１４が鍵駆動部１０１５に対して開錠動作を行うよう指示をし、これにより鍵駆動部１０１５が開錠動作を行い、セキュリティバッグ１０１の開錠を行うことができる。
【００２８】
以上のように、本実施例のセキュリティバッグシステム１０によれば、開錠予定者がセキュリティバッグに対して直接生体認証情報を以って施錠する必要性がなく、開錠予定者が訪れることの難しい遠隔地からの物品やデータの輸送の際においても、開錠予定者以外が開錠することのできない強固なセキュリティによる輸送を行うことが可能となるため、機密性の高い物品、データ等の輸送に適したセキュリティシステムを提供することが可能となる。
【００２９】
本実施例において、施錠データ及び開錠データとして用いる生体認証情報を静脈パターンとしたが、これに限定せず、図９に示すように、生体認証情報読取部１０１６を、セキュリティバッグ１０１の構成の一部せず、これを外部機器として外部インタフェース１０１１に接続するよう構成し、更に生体認証情報登録装置３０１を、別の部位の生体認証情報（例えば指紋や顔、虹彩、網膜等）を用いた生体認証情報登録装置に置き換えることで、複数種類の生体認証情報に対応が可能となる。
【実施例２】
【００３０】
以下、本発明の実施例２を説明するが、前記実施例１と同一部分には同一符号を付し、その詳細な説明を省略する。セキュリティバッグを用いた輸送を行う前の、開錠予定者の生体認証情報をセンタシステム２０のデータベース２０１に登録するフローについては、実施例１と同様に行う。
【００３１】
セキュリティバッグに施錠を行う際の輸送元のフローを、図７に基づいて説明する。まずＩＴ機器１０３ａまたは１０３ｂを、取込インタフェース１０２を介してセキュリティバッグ１０１に接続する（Ｓ５０１）。実施例１において、生体認証情報を施錠データとして記憶させるとしたが、本実施例では、開錠予定者のＩＤを生体認証情報記憶部１０１２に記憶する（Ｓ５０２）。開錠予定者以外の情報が生体認証情報記憶部１０１２に記憶されているかを判別する（Ｓ５０３）。開錠予定者以外の情報が記憶されている場合は、これを削除する（Ｓ５０４）。ＩＴ機器１０３ａまたは１０３ｂからセキュリティバッグ１０１を外す（Ｓ５０５）。セキュリティバッグ１０１を施錠し、輸送先３０へ輸送する（Ｓ５０６）。
【００３２】
続いて、セキュリティバッグが輸送先３０に到着し、開錠操作をする際のフローを、図８に基づいて説明する。セキュリティバッグ１０１の外部インタフェース１０１１にＩＴ機器を接続し、センタシステム２０との通信を可能な状態とする（Ｓ６０１）。続いて、開錠者は生体認証を実施すると共に自身を示すＩＤを入力する（Ｓ６０２）。このＩＤと共にセキュリティバッグ１０１の生体情報記憶部１０１２に記憶された開錠予定者のＩＤをセンタシステム２０に送信する（Ｓ６０３）。センタシステム２０は送信された２つのＩＤが同一であるかを判別する（Ｓ６０４）。同一でない場合は、入力されたＩＤのセキュリティランクは、開錠予定者のＩＤのセキュリティランクよりも上位であるかを判別する（Ｓ６０５）。ステップＳ６０４で双方のＩＤが同一であると判別された場合、又はステップＳ６０５で入力されたＩＤが開錠予定者のＩＤよりも上位のセキュリティランクであると判別された場合は、入力されたＩＤの生体認証情報をセキュリティバッグ１０１に送信する（Ｓ６０６）。センタシステム２０から得た生体認証情報と、開錠者が生体認証を行った際に得た生体認証情報を照合する（Ｓ６０７）。照合の結果を判別し（Ｓ６０８）、一致した場合は鍵開錠指示部１０１４が鍵駆動部１０１５に対して開錠動作を行うよう指示をし、これにより鍵駆動部１０１５が開錠動作を行い、セキュリティバッグ１０１の開錠を行うことができる（Ｓ６０９）。ステップＳ６０４で入力されたＩＤが開錠予定者のＩＤのセキュリティランクの上位ではない場合、又はステップＳ６０７にて照合の結果一致しないとされた場合は、次回の開錠動作まで待機状態となる（Ｓ６１０）。
【００３３】
以上のように、本実施例のセキュリティバッグシステム１０によれば、実施例１の効果に加え、開錠予定者がセキュリティバッグ１０１到着時に不在であった場合においても、開錠予定者のセキュリティランクより上位の人物であれば、セキュリティバッグ１０１の開錠が可能となる。また、セキュリティバッグ１０１に生体認証情報を直接記憶させないので、万が一、セキュリティバッグ１０１が紛失・盗難にあってしまったとしても、個人情報たる生体認証情報が漏洩することが無い。
【図面の簡単な説明】
【００３４】
【図１】実施例１における、セキュリティバッグシステムの構成を示すブロック図である。
【図２】同上、セキュリティバッグの一構成例を示すブロック図である。
【図３】同上、輸送前に開錠者の生体認証情報をセンタシステムに登録する際のフローチャート図である。
【図４】同上、センタシステムにおいて開錠者の生体認証情報をデータベースに登録する際のフローチャート図である。
【図５】同上、輸送元でのセキュリティバッグの施錠過程を示すフローチャート図である。
【図６】同上、輸送先でのセキュリティバッグの開錠過程を示すフローチャート図である。
【図７】実施例２における、輸送元でのセキュリティバッグの施錠過程を示すフローチャート図である。
【図８】同上、輸送先でのセキュリティバッグの開錠過程を示すフローチャート図である。
【図９】実施例１における、セキュリティバッグの他の構成例を示すブロック図である。
【符号の説明】
【００３５】
１        セキュリティバッグシステム
１０１    セキュリティバッグ
１０２    取込インタフェース（施錠データ取得手段）
１０３ａ，１０３ｂ，３０２  ＩＴ端末
２０      センタシステム
２０１    データベース
３０１    生体認証情報登録装置（施錠データ登録手段）
１０１１  外部インタフェース
１０１２  生体認証情報記憶部（記憶手段）
１０１３  比較部（照合手段）
１０１４  鍵開錠指示部（制御部）
１０１５  鍵駆動部
１０１６  生体認証情報読取部（開錠データ取得手段）
【図１】
2008240441.tif 000003
【図２】
2008240441.tif 000004
【図３】
2008240441.tif 000005
【図４】
2008240441.tif 000006
【図５】
2008240441.tif 000007
【図６】
2008240441.tif 000008
【図７】
2008240441.tif 000009
【図８】
2008240441.tif 000010
【図９】
2008240441.tif 000011